(57)【要約】【課題】  ユーザーが腰を曲げたり、姿勢を低くしたりすることなく簡単なボタンの操作で延長管を屈折することで掃除作業を行ない易いように構造が改善された掃除機の屈折延長管を提供する。【解決手段】  掃除機本体と吸込ブラシとの間において気密の流路を形成し、そのボディがユーザーの選択により屈折する延長管において、第１の延長管と；第１の延長管に回動自在に結合される第２の延長管；第１の延長管にスライド動作により弾性変形できるように設けられ、第２の延長管に形成された複数のロッカーホールに選択的に収められるロック突起を備え、第１及び第２の延長管の回動を拘束する弾性ロッカーと；第１及び第２の延長管の連結部を気密に封止できるように第２の延長管に連結され、第２の延長管と一緒に回動する関節カバー体とを含む。【選択図】      図２
2005161009.tif 000002
【特許請求の範囲】
【請求項１】
掃除機本体と吸込ブラシとの間において気密の流路を形成し、そのボディがユーザーの選択により屈折する掃除機の屈折延長管において、
第１の延長管と；
前記第１の延長管に回動自在に結合される第２の延長管と；
前記第１の延長管の内部に設けられ、前記第１及び第２の延長管の回動を選択的にロックする弾性ロッカーとを含み、
ユーザーが前記弾性ロッカーを往復動させる動作で前記第１及び第２の延長管のロックを解除することを特徴とする掃除機の屈折延長管。
【請求項２】
前記第１の延長管は、
パイプ状のボディと；
前記ボディの一端部に形成され、前記第２の延長管に連結される円筒状継ぎ手と；
前記円筒状継ぎ手に形成され、前記弾性ロッカーを収容するロッカー収容溝と；
前記円筒状継ぎ手の内周面に貫通形成され、前記弾性ロッカーの一部が貫通結合される貫通孔とを含むことを特徴とする請求項１に記載の掃除機の屈折延長管。
【請求項３】
前記第２の延長管は、前記弾性ロッカーが選択的にロックされる複数のロッカーホールを有する関節部を含み、前記関節部に関節カバー体が結合されて前記円筒状継ぎ手の両端を保持することを特徴とする請求項２に記載の掃除機の屈折延長管。
【請求項４】
前記弾性ロッカーは、
前記ロッカー収容溝に対応する形状を有し、外周面に前記複数のロッカーホールに選択的に挿入されるロック突起が突設されたロッカーボディと；
前記ロッカーボディに結合され、前記ガイド溝に沿って往復動する摺動プレートと；
前記摺動プレートに結合される作動把手とを含むことを特徴とする請求項３に記載の掃除機の屈折延長管。
【請求項５】
前記第２の延長管は、前記関節部に、前記作動把手が外部に露出して往復動可能な少なくとも一つのスロットを含むことを特徴とする請求項４に記載の掃除機の屈折延長管。
【請求項６】
前記スロットは、前記第１及び第２の延長管が一直線をなして連結された場合、前記第１の延長管に並んで形成された第１のスロット、及び前記第１及び第２の延長管が屈折した場合、前記第１の延長管に並んで形成された第２のスロットを含むことを特徴とする請求項５に記載の掃除機の屈折延長管。
【請求項７】
前記ロッカーホールは、前記第１及び第２の延長管が一直線をなして連結される第１の位置を固定する第１のロッカーホール、及び前記第１及び第２の延長管が所定の角度をもって屈折する第２の位置を固定する第２のロッカーホールを含むことを特徴とする請求項３に記載の掃除機の屈折延長管。
【請求項８】
前記第１及び第２のロッカーホールのそれぞれは、前記ロック突起と対面する部分が面取りされたことを特徴とする請求項７に記載の掃除機の屈折延長管。
【請求項９】
前記第１及び第２の延長管の屈折角度αは、４０〜５０°の間の値を有することを特徴とする請求項１乃至８のいずれか一項に記載の掃除機の屈折延長管。
【請求項１０】
掃除機本体と吸込ブラシとの間において気密の流路を形成し、そのボディがユーザーの選択により屈折する延長管において、
第１の延長管と；
前記第１の延長管に回動自在に結合され、複数のロッカーホールを有する第２の延長管と；
前記第１の延長管の外周面の一部を覆うように設けられるリリース把手と；
前記リリース把手のスライド動作により前記複数のロッカーホールに選択的に収められるロック突起を備え、前記第１及び第２の延長管の回動を拘束する弾性ロッカーと；
前記第１及び第２の延長管の連結部を気密に封止できるように前記第２の延長管の一方に結合されて前記第２の延長管と一緒に回動し、前記ロック突起を収容する複数のロッカーホールを有する関節カバー体とを含むことを特徴とする掃除機の屈折延長管。
【請求項１１】
前記第１の延長管は、
スライド突起を有するパイプ状のボディと；
前記ボディの一端部に形成され、前記第２の延長管に連結される円筒状継ぎ手と；
前記円筒状継ぎ手の両側に形成され、前記弾性ロッカーを収容するロッカー収容溝と；
前記ロッカー収容溝の内周面に形成され、前記ロック突起が貫通結合される貫通孔とを含むことを特徴とする請求項１０に記載の掃除機の屈折延長管。
【請求項１２】
前記弾性ロッカーは、前記円筒状継ぎ手に設けられ、その外周面に前記ロック突起が突設されたロッカーボディと、一端が前記ロッカーボディに結合され、他端が前記リリース把手に結合されて往復動する摺動プレートを含むことを特徴とする請求項１１に記載の掃除機の屈折延長管。
【請求項１３】
前記弾性ロッカーは、前記円筒状継ぎ手の両側面に互いに対称して一対をなして設けられたことを特徴とする請求項１２に記載の掃除機の屈折延長管。
【請求項１４】
前記リリース把手は、前記ガイド突起に対応する位置にガイド溝を備え、前記第１の延長管の長手方向に往復動することを特徴とする請求項１１に記載の掃除機の屈折延長管。
【発明の詳細な説明】
【技術分野】
【０００１】
本発明は掃除機に関し、より詳しくは、ベッド、ソファー等の家具類の下の空間がより掃除し易いように延長管の連結部を屈折可能に連結することができる掃除機の屈折延長管に関する。
【背景技術】
【０００２】
一般に、掃除機は、掃除機本体に設けられた真空吸込モーターにより発生した真空吸込力により被掃除面のゴミ等を空気と共に吸い込むものであって、掃除機本体と掃除を行なう吸込ブラシとを気密の状態で連結するための流路が形成される。
【０００３】
このような流路は、掃除機の種類によって様々な形態で設けることができるが、一般に、キャニスター型掃除機の場合、本体と作動把手とを連結するフレキシブルホースと、作動把手と吸込ブラシとを連結する延長管とからなる。このような延長管は、必要に応じて長さが調節可能な伸縮型であるか、または複数の延長管のそれぞれが分離及び組立可能に備えられることが一般的である。
【０００４】
しかし、ユーザーがベッドやソファーのような家具類の下の部分を掃除するためには、前記のような従来の延長管で連結された吸込ブラシの場合、延長管と吸込ブラシとの角度が固定されている場合が多いため、姿勢を低くした状態で吸込ブラシを底面に密着した状態で延長管を回して掃除を行なわなければならない。また、延長管と吸込ブラシとの角度が可変できるとしても、吸込ブラシを家具の下の部分に入れるためには、ユーザーが腰を曲げなければならない等の不便があり、改善が求められている。
【発明の開示】
【発明が解決しようとする課題】
【０００５】
本発明は、前記のような問題点を解決するためになされたものであって、その目的は、ユーザーが腰を曲げたり、姿勢を低くしたりすることなく簡単なボタンの操作で延長管を屈折することで掃除作業を行ない易いように構造が改善された掃除機の屈折延長管を提供することである。
【課題を解決するための手段】
【０００６】
前記のような目的を達成するための本発明に係る掃除機の屈折延長管は、第１の延長管と、前記第１の延長管に回動自在に結合される第２の延長管、前記第１及び第２の延長管の屈折を規制する弾性ロッカーと、前記第１及び第２の延長管の連結部を気密に封止する関節カバー体とを含む。
【０００７】
前記第１の延長管は、掃除機本体側に連結されることが好ましく、前記第２の延長管は、被掃除面を掃除する吸込ブラシ側に連結されることが好ましい。
【０００８】
また、前記弾性ロッカーは、前記第１の延長管にスライド動作により弾性変形できるように設けられ、前記第２の延長管に形成された複数のロッカーホールに選択的に収められるロック突起を備え、前記第１及び第２の延長管の回動を拘束することが好ましい。
【０００９】
そして、前記関節カバー体は、前記第１及び第２の延長管の連結部を気密に封止できるように前記第２の延長管に結合され、前記第２の延長管と一緒に回動することが好ましい。
【００１０】
一方は、前記第１の延長管は、パイプ状のボディと、前記ボディの一端部に形成され、前記第２の延長管に連結される円筒状継ぎ手と、前記円筒状継ぎ手に形成され、前記弾性ロッカーを収容するロッカー収容溝と、前記ガイド溝の内周面に形成され、前記ロック突起が貫通結合されるロッカーホールと、を含むことがよい。
【００１１】
本発明の好適な第１の実施例によると、前記弾性ロッカーは、前記ロッカー収容溝に対応する形状を有し、外周面に前記ロック突起が突設されたロッカーボディと、前記ロッカーボディに結合され、前記ガイド溝に沿って往復動する摺動プレートと、前記摺動プレートに結合される作動把手とを含むことがよい。
【００１２】
この時、前記第２の延長管は、前記関節カバー体に結合されて前記円筒状継ぎ手の両端を保持することが好ましく、前記関節カバー体と対面する関節部に、前記作動把手が外部に露出して往復動可能な少なくとも一つのスロットを含む。そして、前記スロットは、前記第１及び第２の延長管が一直線をなして連結された場合、前記第１の延長管に並んで形成された第１のスロット、及び前記第１及び第２の延長管が屈折した場合、前記第１の延長管に並んで形成された第２のスロットを含むことがよい。
【００１３】
そして、前記ロッカーホールは、前記第１及び第２の延長管が一直線をなして連結される第１の位置を固定する第１のロッカーホール、及び前記第１及び第２の延長管が所定の角度をもって屈折する第２の位置を固定する第２のロッカーホールを有することがよい。この時、前記第１及び第２のロッカーホールのそれぞれは、前記ロック突起と対面する部分が面取りされることが好ましい。
【００１４】
また、前記第１及び第２の延長管の屈折角度αは、４０〜５０°の間の値を有することが好ましく、かかる屈折角度は、前記第１及び第２のロッカーホールの位置に応じて決められることがよい。
【００１５】
本発明の好適な第２の実施例によると、前記弾性ロッカーは、前記第１の延長管の外周面の一部を覆うように設けられるリリース把手のスライド動作により弾性変形できるように設けられ、前記第2の延長管に形成された複数のロッカーホールに選択的に収められるロック突起を備え、前記第１及び第２の延長管の回動を拘束することが好ましい。このような前記弾性ロッカーは、前記ガイド溝に対応する形状を有し、外周面に前記ロック突起が突設されたロッカーボディ、及び一端が前記ロッカーボディに結合され、他端が前記リリース把手に結合されてそのボディに形成されたガイド溝に沿って往復動する摺動プレートを含むことがよく、前記円筒状継ぎ手の両側面に互いに対称して一対をなして設けられることがよい。
【００１６】
そして、前記リリース把手は、前記第１の延長管の外周面に突設される前記スライド突起に対応する位置にスライド溝を備え、前記第１の延長管の長手方向に往復動することができる。
【発明の効果】
【００１７】
以上で説明したような本発明に係る掃除機の屈折延長管によると、ユーザーが腰を曲げたり、姿勢を低くしたりすることなく作動把手またはリリース把手を引っ張るといった簡単な操作だけで延長管を屈折することができるため、ベッドやソファーのような家具類の下の部分も容易に掃除することができ、掃除時におけるユーザーの便宜性が増大する。
【発明を実施するための最良の形態】
【００１８】
以下、添付した図１乃至図４を参照して、本発明の好適な第１の実施例による掃除機の関節延長管を説明する。
【００１９】
本発明の第１実施例による掃除機の屈折延長管１００は、第１の延長管１１０と、第２の延長管１２０と、弾性ロッカー１３０と、関節カバー体１４０とを含む。
【００２０】
第１の延長管１１０は、パイプ状の延長管本体１１１と、延長管本体１１１の一端部に形成され、第２の延長管１２０に連結される円筒状継ぎ手１１２と、円筒状継ぎ手１１２に形成され弾性ロッカー１３０をガイドするロッカー収容溝１１３と、ロッカー収容溝１１３の内周面に形成され前記ロック突起が貫通結合される貫通孔１１４とを有することがよい。
【００２１】
延長管本体１１１は、図示していない掃除機本体側に連結されることが好ましく、略パイプ状をなし、その内部にゴミ等が含まれた空気が掃除機本体側に吸い込まれるようにする。
【００２２】
円筒状継ぎ手１１２は、第２の延長管１２０に回動自在に結合される連結部であって、第１及び第２の延長管１１０、１２０の回動中心になる。円筒状継ぎ手１１２の内周面には、弾性ロッカー１３０が設けられるロッカー収容溝１１３が形成されており、図２に示すように、その中央を横切るようにガイド溝１１３ａが形成される。ガイド溝１１３ａは、後述する摺動プレート１３３の往復動をガイドする役割を果たす。
【００２３】
第２の延長管１２０は、被掃除面のゴミ等を吸い込む吸込ブラシ（図示せず）側に連結される第２の延長管本体１２１と、関節カバー体１４０に結合される関節部１２２を含む。関節部１２２は、製造コストの低減のための成形物であって、第２の延長管１２０と一体に形成することが好ましい。関節部１２２には、弾性ロッカー１３０を選択的にロックするための第１及び第２のロッカーホール１２３、１２４が備えられており、後述する作動把手１３４がスライド自在に外部に突出する第１及び第２のスロット１２５、１２６が貫通形成されている。
【００２４】
弾性ロッカー１３０は、ロッカーボディ１３１と、前記ロッカーボディに突設されたロック突起１３２と、ロッカーボディ１３１に結合される摺動プレート１３３と、摺動プレート１３３に結合される作動把手１３４とを含む。
【００２５】
ロッカーボディ１３１は、半円状の弾性を有する板ばねからなることが好ましく、その外周面の略中心の付近に突設されたロック突起１３２を含む。好ましくは、反復動作による疲労破損を防止するために金属製であることがよい。
【００２６】
摺動プレート１３３は、ガイド溝１１３ａに沿って往復動しながらロッカーボディ１３１を移動させるためのものである。従って、ユーザーは、摺動プレート１３３に結合された作動把手１３４を往復動させる動作でロッカーボディ１３１を移動させ、ロック突起１３２を第１及び第２のロッカーホール１２３、１２４に選択的にロックさせることができる。第１及び第２のロッカーホール１２３、１２４の位置に応じて第１及び第２の延長管本体１１１、１２１の屈折角度が決められるが、好ましくは、屈折角度αは、４０°〜５０°の間の値を有することがよく、４５°である時が最もよい。
【００２７】
以下、添付した図３及び図４を参照して、本発明の第１の実施例による掃除機の関節延長管の動作を説明する。
【００２８】
図３は、本発明の第１の実施例による掃除機の延長管１００の初期状態を示す図であって、第１及び第２の延長管本体１１１、１２１は、一直線をなして並んで位置している。この時、図示の如く、ロック突起１３２は、第１のロッカーホール１２３に挿入され、第１及び第２の延長管本体１１１、１２１は回動することがない。
【００２９】
この状態から、掃除作業に際してユーザーがベッドの下のような所を掃除する場合、ユーザーが、作動把手１３４を図３中の矢印方向に引っ張ると、ロック突起１３２が第１のロッカーホール１２３から抜け出ることで第１の延長管本体１１１と第２の延長管本体１２１とのロックが解除される。この場合、ユーザーは、第２の延長管本体１２１を第１の延長管本体１１１に対して屈折させることが可能である。
【００３０】
一方、ユーザーが作動把手１３４を引っ張る動作は、ロック突起１３２が第１のロッカーホール１２３を抜け出るまで行われ、以後、第２の延長管本体１２１を回動させる時には、作動把手１３４から手を放してもよい。この時、ロック突起１３２は、ロッカーボディ１３１の弾性復元力により関節部１２２の内周面に接触した状態で関節部１２２の回転により第２のロッカーホール１２４に至るまでスライドする。
【００３１】
一方、図４及び図５に示すように、ロック突起１３２の端部は、ラウンド処理されているため、関節部１２２の内周面に点接触することで小さい力でもスライド可能である。また、第１及び第２のロッカーホール１２３、１２４のロック突起１３２と対面する部分は面取りされており、ロック突起１３２のより容易な挿入が可能になる。
【００３２】
従って、ユーザーが作動把手１３４を図３の矢印方向に引っ張ることでロック突起１３２を第１のロッカーホール１２３から離脱させながら、第２の延長管本体１２１を回動させると、ロック突起１３２は、ロッカーボディ１３１の弾性復元力により関節部１２２の内周面に接触した状態でスライド移動する。そして、ロック突起１３２が第２のロッカーホール１２４に至ると、ロッカーボディ１３１の弾性復元力によりロック突起１３２が第２のロッカーホール１２４に挿入され、第１及び第２の延長管本体１１１、１２１は屈折した状態で固定される。
【００３３】
ベッドの下のような隅部の掃除が終了すると、前記順序の逆順にして第１及び第２の延長管本体１１１、１２１を一直線をなして並ぶように元に戻すことができる。即ち、ユーザーは、作動把手１３４を引っ張ることで第２のロッカーホール１２４に挿入されているロック突起１３２を離脱させた後、ロック突起１３２が第１のロッカーホール１２３に至るまで第２の延長管本体１２１を回動させればよい。この時、ユーザーは、第１の延長管本体１１１を把持した状態で、図示していない吸込ブラシが結合されている第２の延長管本体１２１側を持ち上げると、その自重により回動するため、簡単に第１及び第２の延長管本体１１１、１２１を一直線をなして並べることができる。一方、関節部１２２には、第１及び第２の延長管本体１１１、１２１が一直線をなしている場合に作動把手１３４の往復動をガイドする第１のスロット１２５と、第１及び第２の延長管本体１１１、１２１が屈折している場合に作動把手１３４の往復動をガイドする第２のスロット１２６を備える。この時、第１及び第２のスロット１２５、１２６の角度は、第１及び第２の延長管本体１１１、１２１の屈折角度αに対応する角度をなしており、ユーザーが掃除機をより便利に使用できるようにする。
【００３４】
以下、添付した図５乃至図８を参照して、本発明の好適な第２の実施例による掃除機の関節延長管を説明する。
【００３５】
本発明の第２の実施例による屈折延長管２００は、図５に示すように、第１の延長管２１０と、第２の延長管２２０と、弾性ロッカー２３０、及び関節カバー体２４０を含む。
【００３６】
図６は、本発明の第２の実施例による掃除機の屈折延長管２００を示す分解斜視図である。
【００３７】
第１の延長管２１０は、ガイド突起２１２を有するパイプ状の延長管本体２１１と、延長管本体２１１の一端部に形成され、第２の延長管２２０に連結される円筒状継ぎ手２１３と、円筒状継ぎ手２１３の両側に対称して形成され弾性ロッカー２３０を収容するロッカー収容溝２１４と、ロッカー収容溝２１４の内周面に形成されロック突起２３２が貫通結合されるロッカーホール２１５とを含む。
【００３８】
第２の延長管２２０は、被掃除面のゴミ等を吸い込む吸込ブラシ（図示せず）側に連結される第２の延長管本体２２１と、関節カバー体２４０に結合される関節部２２２を含む。関節部２２２は、製造コストの低減のための成形物であって、第２の延長管２２０と一体に形成することが好ましい。関節部２２２には、ロック突起２３２を選択的にロックするための第１及び第２のロッカーホール２２３、２２４が備えられる。
【００３９】
弾性ロッカー２３０は、ロッカーボディ２３１と、摺動プレート２３３と、リリース把手２３４とを含む。
【００４０】
ロッカーボディ２３１は、ロッカー収容溝２１４に対応する形状を有し、外周面にロック突起２３２が突設される。
【００４１】
摺動プレート２３３は、一端がロッカーボディ２３１に結合され、他端がリリース把手２３４に結合されてそのボディに形成されたガイド溝２１３ｂに沿って往復動する。
【００４２】
リリース把手２３４は、第１の延長管２１０の外周面の一部を覆うように設けられ、そのボディの両側に貫通形成されたガイドホール２３５にガイド突起２１２が係合し、リリース把手２３４の往復動を拘束する。
【００４３】
関節カバー体２４０は、第１及び第２の延長管２１０、２２０の連結部を気密に封止できるように関節部２２２に結合され、第２の延長管２２０と一緒に回動する。そして、図示してはいないが、関節部２２２に形成された第１及び第２のロッカーホール２２３、２２４と同一の位置にロッカーホールが形成され、一対の弾性ロッカー２３０が備えられて動作可能である。
【００４４】
以下、添付した図７及び図８を参照して、本発明の第２の実施例による掃除機の関節延長管の動作を説明する。
【００４５】
基本的なロック及びリリース動作は、前述した本発明の第１の実施例と同一であるため、その相違点だけを説明する。即ち、第１の実施例における作動把手１３４の役割を、本発明の第２の実施例では、リリース把手２３４がその代わりをする。従って、作動把手１３４を引っ張る動作と同様にリリース把手２３４を、図７の矢印方向に引っ張ると、ロック突起２３２が先ず第１のロッカーホール２２３から抜け出ることで、第１の延長管本体２１０と第２の延長管本体２２０とのロックが解除される。以後、ユーザーは、自由自在に第１及び第２の延長管２１０、２２０を屈折することができ、継続してリリース把手２３４を引っ張る必要はない。従って、第１及び第２の延長管２１０、２２０は、ロック突起２３２が第２のロッカーホール２２４に収められるまで回動しながら屈折し、好ましくは、第１及び第２の延長管２１０、２２０の屈折角度αが４５°になるように第１及び第２のロッカーホール２２３、２２４の位置が決められるということは、前述した通りである。また、本発明の第２の実施例によると、弾性ロッカー２３０が円筒状継ぎ手２１３の両側にそれぞれ設けられて一対をなしており、弾性ロッカー２３０のいずれか一方だけをロックしても第１及び第２の延長管２１０、２２０の屈折位置が固定可能である。
【００４６】
以上、本発明を、本発明の原理を例示するための好適な実施例に関連して図示し説明したが、本発明のそのように図示し説明した通りの構成及び作用に限定されるものではなく、却って、添付した特許請求の範囲の思想及び範疇を逸脱することなく本発明に対する多数の変更及び修正が可能であることを当業者であればよく理解できるはずである。従って、そのような適切な変更及び修正と均等物も本発明の範囲に属するものとみなすべきである。
【図面の簡単な説明】
【００４７】
【図１】本発明の第１の実施例による掃除機の屈折延長管の斜視図である。
【図２】図１の分解斜視図である。
【図３】本発明の第１の実施例による掃除機の屈折延長管が一直線をなして固定された状態での関節部を示す一部側断面図である。
【図４】本発明の第１の実施例による掃除機の屈折延長管が屈折した状態での関節部を示す一部側断面図である。
【図５】本発明の第２の実施例による掃除機の屈折延長管の斜視図である。
【図６】図５の分解斜視図である。
【図７】本発明の第２の実施例による掃除機の屈折延長管が一直線をなして固定された状態での関節部を示す一部側断面図である。
【図８】本発明の第２の実施例による掃除機の屈折延長管が屈折した状態での関節部を示す一部側断面図である。
【符号の説明】
【００４８】
１００、２００  屈折延長管
１１０、２１０  第１及び第２の延長管
１１１、１２１  第１及び第２の延長管本体
１１２、２１３  円筒状継ぎ手
１１３、２１４  ロッカー収容溝
１１３ａ，２１３ｂ  ガイド溝
１２０、２２０  第１及び第２の延長管
１２２、２２２  関節部
１２５、１２６  第１及び第２のスロット
１３０、２３０  弾性ロッカー
１３１、２３１  ロッカーボディ
１３２、２３２  ロック突起
１３３、２３３  摺動プレート
１３４  作動把手
１４０、２４０  関節カバー体
２１２  ガイド突起
２３４  リリース把手
２３５  ガイドホール
【図１】
2005161009.tif 000003
【図２】
2005161009.tif 000004
【図３】
2005161009.tif 000005
【図４】
2005161009.tif 000006
【図５】
2005161009.tif 000007
【図６】
2005161009.tif 000008
【図７】
2005161009.tif 000009
【図８】
2005161009.tif 000010